(57)【特許請求の範囲】
【請求項１】
建造物の基礎と土台との間に介装されるパッキン材であって、
長手板状の本体部１には、上下方向に亙り貫通する複数の開口部10・10…が所定間隔で設けられており、かつ、当該本体部１の下面側12における長辺の側部には、幅方向に貫通する複数の換気孔13・13…が所定間隔で連続して形成されている一方、
前記本体部１の長辺の設置部外側には、モルタル受け板２が付設されており、かつ、このモルタル受け板２は波形断面状に形成され、上面の幅方向に複数の波状リブ21・21…が一体に成形されており、このモルタル受け板２の波状リブ21の少なくとも一つが、本体部１の上面レベル高さに成形された高波リブ21Ｈであることを特徴とするモルタル受け付き土台パッキン。
【請求項２】
建造物の基礎と土台との間に介装されるパッキン材であって、
長手板状の本体部１には、上下方向に亙り貫通する複数の開口部10・10…が所定間隔で設けられており、かつ、当該本体部１の下面側12における長辺の側部には、幅方向に貫通する複数の換気孔13・13…が所定間隔で連続して形成されている一方、
前記本体部１の長辺の設置部外側には、モルタル受け板２が付設されており、かつ、このモルタル受け板２は波形断面状に形成され、上面の幅方向に複数の波状リブ21・21…が一体に成形されており、
かつ、前記本体部１の上面およびモルタル受け板２に亙る幅方向の所定横断位置に薄肉の可断部Ｃが形成されており、この可断部Ｃは、本体部１の長辺全長の略中央に一箇所設けられ、この可断部Ｃを境界として左右非対称に構成されており、
この可断部Ｃを切断して当該本体部１とモルタル受け板２とを一体に分割することにより、開口部10の配設位置の異なる２タイプの本体部１を形成可能であって、
かつ、この切断箇所にそれぞれ側端部を形成して、この側端部に位置決めのための凹凸部15が形成されるような形状にするとともに、
分割された本体部１の切断箇所を外側にして、かつ、側端部同士を接合させてこれらの位置を入れ換えることによって、開口部10の配置位置が変更された別形状の本体部１を構成することができ、アンカーボルトの設置位置に適合させることができることを特徴とするモルタル受け付き土台パッキン。
【請求項３】
モルタル受け板２の端部に切欠部22が設けられており、隣接するモルタル受け板２・２間によって、墨出し線を視認可能な覗き部を構成したことを特徴とする請求項１または２記載のモルタル受け付き土台パッキン。
【請求項４】
本体部１の設置レベルとモルタル受け板２の設置レベルとが略同一平面になるように付設されていることを特徴とする請求項１〜３の何れか一つに記載のモルタル受け付き土台パッキン。
【請求項５】
本体部１の上面における開口部10・10間の架橋部14の上下に亙り、止着ビスが挿通可能な貫通孔14ａが成形されていることを特徴とする請求項１〜４の何れか一つに記載のモルタル受け付き土台パッキン。
【請求項６】
本体部１の上面における開口部10・10間の架橋部14の上面に突起14ｂが設けられていることを特徴とする請求項１〜５の何れか一つに記載のモルタル受け付き土台パッキン。
【請求項７】
本体部１の側端部に凹凸部15が形成されており、位置決めして長手方向に連結可能であることを特徴とする請求項１〜６の何れか一つに記載のモルタル受け付き土台パッキン。
【請求項８】
本体部１の上面に形成された開口部10は、両方の側端部において開放されていることを特徴とする請求項１〜７の何れか一つに記載のモルタル受け付き土台パッキン。
【発明の詳細な説明】
【技術分野】
【０００１】
本発明は、建築材料の改良、更に詳しくは、基礎の外周面にモルタル仕上げを施す場合において、止め板が十分な強度を有していて施工性が良く、更に、通気孔が塞がるのを防止することもできるモルタル受け付き土台パッキンに関するものである。
【背景技術】
【０００２】
周知のとおり、建築物の基礎と土台との間にはパッキンが敷設されており、このパッキンに設けられた通気孔により、床下の換気を行うことができる。
【０００３】
ところで、かかるパッキンを敷設した後、前記基礎の外側面には、仕上げ材としてモルタルを塗着するため、当該パッキンの下面外側に持ち出された止め板をコテ替わりにすることによりはみ出しを防止することができる（例えば、特許文献１参照）。
【０００４】
しかしながら、かかる土台パッキンにあっては、モルタルを塗布する際に止め板が受ける力に対する強度が十分でなく、止め板が反ってしまったり、あるいは、折れてしまったりして、施工に支障をきたすという問題があった。
【特許文献１】特開２００７−１２００８２号公報（第４−７頁、図１−２）
【発明の開示】
【発明が解決しようとする課題】
【０００５】
本発明は、従来のパッキンに上記問題があったことに鑑みて為されたものであり、その目的とするところは、基礎の外周面にモルタル仕上げを施す場合において、止め板が十分な強度を有していて施工性が良く、更に、通気孔が塞がるのを防止することもできるモルタル受け付き土台パッキンを提供することにある。
【課題を解決するための手段】
【０００６】
本発明者が上記技術的課題を解決するために採用した手段を、添付図面を参照して説明すれば、次のとおりである。
【０００７】
即ち、本発明は、建造物の基礎と土台との間に介装されるパッキン材であって、
長手板状の本体部１には、上下方向に亙り貫通する複数の開口部10・10…が所定間隔で設けられており、かつ、当該本体部１の下面側12における長辺の側部には、幅方向に貫通する複数の換気孔13・13…が所定間隔で連続して形成されている一方、
前記本体部１の長辺の設置部外側には、モルタル受け板２が付設されており、かつ、このモルタル受け板２は波形断面状に形成され、上面の幅方向に複数の波状リブ21・21…が一体に成形されており、このモルタル受け板２の波状リブ21の少なくとも一つを、本体部１の上面レベル高さに成形された高波リブ21Ｈにするという技術的手段を採用することによって、モルタル受け付き土台パッキンを完成させた。
【０００８】
また、本発明は、建造物の基礎と土台との間に介装されるパッキン材であって、
長手板状の本体部１には、上下方向に亙り貫通する複数の開口部10・10…が所定間隔で設けられており、かつ、当該本体部１の下面側12における長辺の側部には、幅方向に貫通する複数の換気孔13・13…が所定間隔で連続して形成されている一方、
前記本体部１の長辺の設置部外側には、モルタル受け板２が付設されており、かつ、このモルタル受け板２は波形断面状に形成され、上面の幅方向に複数の波状リブ21・21…が一体に成形されており、
かつ、前記本体部１の上面およびモルタル受け板２に亙る幅方向の所定横断位置に薄肉の可断部Ｃが形成されており、この可断部Ｃは、本体部１の長辺全長の略中央に一箇所設けられ、この可断部Ｃを境界として左右非対称に構成されており、
この可断部Ｃを切断して当該本体部１とモルタル受け板２とを一体に分割することにより、開口部10の配設位置の異なる２タイプの本体部１を形成可能であって、
かつ、この切断箇所にそれぞれ側端部を形成して、この側端部に位置決めのための凹凸部15が形成されるような形状にするとともに、
分割された本体部１の切断箇所を外側にして、かつ、側端部同士を接合させてこれらの位置を入れ換えることによって、開口部10の配置位置が変更された別形状の本体部１を構成することができ、アンカーボルトの設置位置に適合させることができるようにするという技術的手段を採用することによって、モルタル受け付き土台パッキンを完成させた。
【０００９】
更にまた、本発明は、上記課題を解決するために、必要に応じて上記手段に加え、モルタル受け板２の端部に切欠部22を設け、隣接するモルタル受け板２・２間によって、墨出し線を視認可能な覗き部を構成するという技術的手段を採用することができる。
【００１０】
更にまた、本発明は、上記課題を解決するために、必要に応じて上記手段に加え、前記本体部１の設置レベルとモルタル受け板２の設置レベルとが略同一平面になるように付設するという技術的手段を採用することができる。
【００１１】
更にまた、本発明は、上記課題を解決するために、必要に応じて上記手段に加え、本体部１の上面における開口部10・10間の架橋部14の上下に亙り、止着ビスが挿通可能な貫通孔14ａを成形するという技術的手段を採用することができる。
【００１２】
更にまた、本発明は、上記課題を解決するために、必要に応じて上記手段に加え、本体部１の上面における開口部10・10間の架橋部14の上面に突起14ｂを設けるという技術的手段を採用することができる。
【００１３】
更にまた、本発明は、上記課題を解決するために、必要に応じて上記手段に加え、本体部１の側端部に凹凸部15を形成し、位置決めして長手方向に連結可能にするという技術的手段を採用することができる。
【００１４】
更にまた、本発明は、上記課題を解決するために、必要に応じて上記手段に加え、本体部１の上面に形成された開口部10を、両方の側端部において開放させるという技術的手段を採用することができる。
【００１５】
更にまた、本発明は、上記課題を解決するために、必要に応じて上記手段に加え、本体部１の上面およびモルタル受け板２における幅方向の所定横断位置に薄肉の可断部Ｃを形成して、この可断部Ｃを切断して当該本体部１を分割可能であって、かつ、この切断箇所にそれぞれ側端部を形成可能にするという技術的手段を採用することができる。
【発明の効果】
【００１６】
本発明にあっては、長手板状の本体部には、上下方向に亙り貫通する複数の開口部を所定間隔で設け、かつ、当該本体部の下面側における長辺の側部には、幅方向に貫通する複数の換気孔を所定間隔で連続して形成し、前記本体部の長辺の設置部外側には、モルタル受け板を付設して、かつ、このモルタル受け板を波形断面状に形成して、上面の幅方向に複数の波状リブを一体に成形することによって、基礎の外周面にモルタル仕上げを施す場合において、止め板に十分な強度を付与して施工性を良くし、しかも、この止め板がモルタルの侵入を防いで通気孔が塞がるのを防止することができることから、建築材料としての利用価値は頗る大きいと云える。
【発明を実施するための最良の形態】
【００１７】
本発明を実施するための最良の形態を具体的に図示した図面に基づいて更に詳細に説明すると、次のとおりである。
【００１８】
『第１実施形態』
本発明の第１実施形態を図１および図２に基づいて説明する。図中、符号１で指示するものは本体部であり、この本体部１は長手板状であって、上下方向に亙り貫通する複数の開口部10・10…が所定間隔で設けられており、かつ、当該本体部１の下面側12における長辺の側部には、幅方向に貫通する複数の換気孔13・13…が所定間隔で連続して形成されている。
【００１９】
また、符号２で指示するものはモルタル受け板であり、このモルタル受け板２は波形断面状に形成され、上面の幅方向に複数の波状リブ21・21…が一体に成形されている。本実施形態では、前記本体部１と一体成形されており、ポリプロピレンと炭酸カルシウムの混合物を使用材料として作製する。
【００２０】
しかして、本実施形態は建造物の基礎と土台との間に介装されるパッキン材であって、構成するにあっては、まず、長手板状の本体部１には、上下方向に亙り貫通する複数の開口部10・10…を所定間隔で設ける。こうすることにより、使用材料を軽減することができる。
【００２１】
また、当該本体部１の下面側12における長辺の側部には、幅方向に貫通する複数の換気孔13・13…を所定間隔で連続して形成する。こうすることにより、外部と床下との通気路を確保することができる。
【００２２】
そして、前記本体部１の長辺の設置部外側には、モルタル受け板２を付設して、かつ、このモルタル受け板２は波形断面状に形成され、上面の幅方向に複数の波状リブ21・21…を一体に成形する。
【００２３】
本実施形態では、前記本体部１の設置レベルとモルタル受け板２の設置レベルとが略同一平面になるように付設することにより、基礎と土台パッキンとの隙間なく設置でき、モルタル受け板２の設置レベルに合わせるだけで基礎の上面と同じレベルでモルタルを塗布することができる。
【００２４】
本実施形態では、本体部１の上面における開口部10・10間の架橋部14の上下に亙り、止着ビスが挿通可能な貫通孔14ａを成形することができ、この止着ビスを螺入することによって土台パッキンと基礎とを確実に固定することができる。
【００２５】
また、本体部１の上面における開口部10・10間の架橋部14の上面に突起14ｂを設けることができ、土台に食い込ませて横ズレ等を防止することができる。更にまた、本実施形態の土台パッキンは、長手方向に連結して使用されるため、本体部１の側端部に凹凸部15を形成して、容易に位置決めすることができる。
【００２６】
『第２実施形態』
本発明の第２実施形態を図３および図４に基づいて説明する。本実施形態では、モルタル受け板２の波状リブ21の少なくとも一つを、本体部１の上面レべル高さに成形された高波リブ21Ｈにする（図３参照）。
【００２７】
こうすることにより、図４に示すように、構造用合板や水切の下端の位置決めが可能になるとともに、下ズレ防止のストッパーにもなるので、より優れた構造体を構成することができる。
【００２８】
『第３実施形態』
本発明の第３実施形態を図５に基づいて説明する。本実施形態では、モルタル受け板２の端部に切欠部22を設け、隣接するモルタル受け板２・２間によって、墨出し線を視認可能な覗き部を構成した。
【００２９】
土台パッキンを基礎の上に載置する際は、位置出しを確実に行わないと土台を安定的に設置することができないため、本実施形態によれば、基礎上に描かれた墨出し線を確認しながら施工することできて、非常に使い勝手が良い。
【００３０】
本発明は、概ね上記のように構成されるが、図示の実施形態に限定されるものでは決してなく、「特許請求の範囲」の記載内において種々の変更が可能であって、例えば、本体部１の上面に形成された開口部10は、図１に示すような、片方の側端部のみが開放されているものであっても良いし、あるいは、図６に示すような、両方の側端部において開放されているものであっても良く、このような開口部10の形成位置が異なるものを適宜組み合わせることにより、この開口部10の位置と、基礎天端から土台固定するために突出したアンカーボルトの設置位置とを的確に合致させることができる。
【００３１】
また、図７に示すように、本体部１の上面およびモルタル受け板２における幅方向の所定横断位置に薄肉の可断部Ｃを形成することもできる。本変形例では、この可断部Ｃは、肉厚の上下それぞれの約３分の１ずつを切り欠いた残りの部分、即ち、通常の厚みの３分の１程度の厚みに形成されており、カッター等で簡単に切断できる。
【００３２】
また、この際、図８に示すように、可断部Ｃを境界として左右非対称に構成するとともに、この可断部Ｃを施工時に適宜切断して本体部１を分割することにより、前述のような開口部10の配設位置の異なる２タイプの本体部１を形成することができる。
【００３３】
このように構成することにより、分割された本体部１の切断箇所を外側にして、かつ、側端部同士を接合させてこれらの位置を入れ換えることによって、開口部10の配置位置が変更された別形状の本体部１を構成することができ、前記同様にアンカーボルトの設置位置に適合させることができる。
【００３４】
即ち、かかる構成は、本体部１の一方の長辺にのみモルタル受け板２が配設されている場合においては、開口部10の位置調整のために反転して用いることができないという不都合を解消するものである。
【００３５】
なお、この切断箇所には、それぞれ側端部を形成して、この側端部を、直線状にすることもできるし、位置決めのための前記凹凸部15が形成されるような形状にすることもできる。
【００３６】
また、図示しないが、本体部１の上面側11（架橋部14の上面）の表面に凹凸ローレットを形成することにより、滑り難くすることもでき、これら何れのものも本発明の技術的範囲に属する。
【図面の簡単な説明】
【００３７】
【図１】本発明の第１実施形態の土台パッキンを表わす全体斜視図である。
【図２】本発明の第１実施形態の土台パッキンを施工した状態を表わす説明断面図である。
【図３】本発明の第２実施形態の土台パッキンを表わす部分斜視図である。
【図４】本発明の第２実施形態の土台パッキンを施工した状態を表わす説明断面図である。
【図５】本発明の第３実施形態の土台パッキンを表わす部分上面図である。
【図６】本発明の実施形態の土台パッキンの変形例を表わす全体斜視図である。
【図７】本発明の実施形態の土台パッキンの変形例を表わす部分斜視図である。
【図８】本発明の実施形態の土台パッキンの変形例を表わす全体上面図である。
【符号の説明】
【００３８】
１    本体部
10    開口部
11    上面側
12    下面側
13    換気孔
14    架橋部
14ａ  貫通孔
14ｂ  突起
15    凹凸部
２    モルタル受け板
21    波状リブ
21Ｈ  高波リブ
22    切欠部
Ｃ    可断部
【図１】
0004897606.tif 000002
【図２】
0004897606.tif 000003
【図３】
0004897606.tif 000004
【図４】
0004897606.tif 000005
【図５】
0004897606.tif 000006
【図６】
0004897606.tif 000007
【図７】
0004897606.tif 000008
【図８】
0004897606.tif 000009